(57)【特許請求の範囲】
【請求項１】
座部と、
着座者の身体信号を検出するセンサと前記着座者に刺激を加える刺激装置と該刺激装置を制御する制御装置とを有して前記着座者を覚醒させる覚醒機器と、
充電ジャックを有して、前記刺激装置及び前記制御装置に電力を供給する充電式のバッテリと、
椅子の状態を変化させるための操作部と、を備え、
前記バッテリの前記充電ジャックは、前記操作部の可動範囲を避けた位置に設けられており、
前記座部は、パッド部を備え、
前記センサは、前記パッド部の上面に設けられ、
前記センサと前記制御装置とはハーネスによって連結されており、
前記パッド部には、前記ハーネスをガイドするガイド孔が形成されており、
前記センサから延びる前記ハーネスは、前記ガイド孔を通され、前記制御装置が備えるＥＣＵに接続されており、
前記椅子の上下方向において前記ハーネスと前記ＥＣＵとの接続部が、前記バッテリの前記充電ジャックと重なっていることを特徴とする椅子。
【請求項２】
前記座部の本体部に取り付けられて前記バッテリを覆うカバーを備え、
該カバーには、開孔が形成されており、
該開孔から前記充電ジャックが露出しており、
前記ハーネスは、前記バッテリよりも上方側を通され後方側へ折り返されていることを特徴とする請求項１に記載の椅子。
【請求項３】
前記ＥＣＵと前記バッテリの間にベース部材を備え、
該ベース部材は、前記椅子の幅方向に１対の壁部を備え、該壁部を含む鉛直断面が略コ字形状の枠体であることを特徴とする請求項１又は２に記載の椅子。
【請求項４】
前記パッド部の下部には樹脂プレートが取り付けられており、
該樹脂プレートには、上下方向に形成された抜き孔が形成されており、
前記抜き孔には、前記ハーネスが挿通されていることを特徴とする請求項１乃至３のいずれか一項に記載の椅子。
【請求項５】
前記抜き孔は、前記椅子の前後方向における幅が前記ガイド孔よりも大きいことを特徴とする請求項４に記載の椅子。
【請求項６】
前記充電ジャックは、前記操作部と上下方向で重ならない位置に配設されていることを特徴とする請求項１乃至５のいずれか一項に記載の椅子。
【請求項７】
前記充電ジャックは、前記操作部のある側に対して前記椅子の幅方向逆側に配設されていることを特徴とする請求項１乃至６のいずれか一項に記載の椅子。
【請求項８】
前記充電ジャックは、前記椅子の前後方向後ろ側に配設されていることを特徴とする請求項１乃至７のいずれか一項に記載の椅子。
【請求項９】
前記座部と、
前記座部を下方から支持する支柱と、
該支柱に取り付けられた脚部と、
前記充電ジャックに一端を接続され、他端に充電ケーブルを接続する充電コネクタを有する延長ケーブルと、を備え、
該延長ケーブルは、前記支柱に沿って前記脚部まで配設されており、
前記充電コネクタは前記脚部に固定されていることを特徴とする請求項１乃至８のいずれか一項に記載の椅子。
【請求項１０】
前記脚部にはキャスターが取り付けられており、
前記充電コネクタは、前記キャスターの上方で前記脚部の先端に固定されていることを特徴とする請求項９に記載の椅子。
【請求項１１】
前記支柱は筒状に形成されており、
前記延長ケーブルは、前記支柱内を通って前記脚部まで配設されていることを特徴とする請求項９又は１０に記載の椅子。
【請求項１２】
前記延長ケーブルは、前記脚部の下面に沿って配設されていることを特徴とする請求項９乃至１１のいずれか一項に記載の椅子。
【請求項１３】
前記脚部は中空部を有し
前記延長ケーブルは、前記脚部の前記中空部を通って配設されていることを特徴とする請求項９乃至１２のいずれか一項に記載の椅子。
【発明の詳細な説明】
【技術分野】
【０００１】
本発明は、椅子に係り、特に、シートの着座者に刺激を付与する覚醒機器を備える椅子に関するものである。
【背景技術】
【０００２】
車両運転時の事故の発生を未然に防ぐことを目的として、車両の運転者の覚醒度低下を防止する技術が知られている。
例えば、特許文献１には、心拍センサ又は呼吸センサ及びモータ等の電気機器を備える車両用シート用いて、振動刺激を着座者に付与する技術が開示されている。
一方、覚醒度の低下を防止、換言すると居眠りを防止する技術は、車両用シートの他、勉強や仕事を効率的に行うことを目的に、事務用の脚付き椅子等に用いられ得る。
例えば、特許文献２には、座部（同文献には座席部と記載。）の下に振動装置（同文献には振動モータと記載。）を備える椅子が開示されている。
【先行技術文献】
【特許文献】
【０００３】
【特許文献１】特開２０１３−２２０８１０号公報
【特許文献２】特開平６−２５３９５３号公報
【発明の概要】
【発明が解決しようとする課題】
【０００４】
しかし、脚付き椅子に覚醒機器を取り付ける場合には、特許文献１に記載の車両用シートと異なり車両内のバッテリを利用できないために、バッテリを椅子に取り付ける必要がある。
そして、家庭用電源に電源コード介して椅子に接続することも可能であるが、電源コードによって椅子の移動範囲が狭まれることとなり、また、電源コード上に椅子が乗り上げることがあり、使用上好ましくない。
このため、充電式のバッテリを用いることも考えられるが、バッテリの充電ジャックに充電用のケーブルを接続して給電する最中には、電源コードを用いる場合と同様に、充電ケーブルによって椅子の移動範囲が狭まれることとなり、充電用のケーブル上に椅子が乗り上がることが考えられる。
【０００５】
また、事務用に用いられる椅子には、背もたれのリクライニングの角度調整や座部の高さ調整を可能とする機構を備え、その度合いを調整するための操作レバーを備えるものが一般的にある。
バッテリの充電ジャックに接続された充電用のケーブルが操作レバーの操作の邪魔になることがあった。
また、バッテリ及び覚醒機器の少なくとも一部を保護するカバーを設けた場合に、カバーによってバッテリが外部から遮られることとなり、バッテリへの給電が困難になることが考えられる。
さらに、椅子に設けられたバッテリの充電コネクタが高い高さにあると、一般的に低い高さにある家庭用電源と充電コネクタ接続された充電ケーブルにおいては、充電コネクタ近傍が大きく折れ曲がり、断線が生じやすくなることが考えられる。
【０００６】
本発明は、かかる問題点に鑑みてなされたものであり、本発明の目的は、充電ジャックに挿し込まれた充電ケーブルが操作部の操作の邪魔になることを回避でき、刺激装置及び制御装置に電力を供給して安定作動させることが可能な覚醒機器を備える椅子を提供することにある。
他の目的は、椅子に設けられたバッテリの給電中に充電用のケーブルが邪魔になることを抑制することにある。
その他の目的は、バッテリ及び覚醒機器の少なくとも一部を保護するカバーが設けられている場合に、バッテリへの給電を容易にすることにある。
さらにその他の目的は、充電ケーブルの充電コネクタとの接続部近傍が大きく折れ曲がることで断線が生じることを抑制することにある。
【課題を解決するための手段】
【０００７】
前記課題は、本発明に係る椅子によれば、座部と、着座者の身体信号を検出するセンサと前記着座者に刺激を加える刺激装置と該刺激装置を制御する制御装置とを有して前記着座者を覚醒させる覚醒機器と、充電ジャックを有して、前記刺激装置及び前記制御装置に電力を供給する充電式のバッテリと、椅子の状態を変化させるための操作部と、を備え、前記バッテリの前記充電ジャックは、前記操作部の可動範囲を避けた位置に設けられており、前記座部は、パッド部を備え、前記センサは、前記パッド部の上面に設けられ、前記センサと前記制御装置とはハーネスによって連結されており、前記パッド部には、前記ハーネスをガイドするガイド孔が形成されており、前記センサから延びる前記ハーネスは、前記ガイド孔を通され、前記制御装置が備えるＥＣＵに接続されており、前記椅子の上下方向において前記ハーネスと前記ＥＣＵとの接続部が、前記バッテリの前記充電ジャックと重なっていることにより解決される。
【０００８】
上記構成によれば、操作部の可動範囲を避けた位置に充電ジャックが設けられていることで、充電ジャックに挿し込まれた充電ケーブルが操作部の操作の邪魔になることを回避でき、充電ケーブルの接続が維持されることにより、刺激装置及び制御装置に電力を供給して安定作動させることができる。
また、前記座部の本体部に取り付けられて前記バッテリを覆うカバーを備え、該カバーには、開孔が形成されており、該開孔から前記充電ジャックが露出しており、前記ハーネスは、前記バッテリよりも上方側を通され後方側へ折り返されていると好ましい。
また、前記ＥＣＵと前記バッテリの間にベース部材を備え、該ベース部材は、前記椅子の幅方向に１対の壁部を備え、該壁部を含む鉛直断面が略コ字形状の枠体であると好ましい。
また、前記パッド部の下部には樹脂プレートが取り付けられており、該樹脂プレートには、上下方向に形成された抜き孔が形成されており、前記抜き孔には、前記ハーネスが挿通されていると好ましい。
また、前記抜き孔は、前記椅子の前後方向における幅が前記ガイド孔よりも大きいと好ましい。
【０００９】
さらに、前記充電ジャックは、前記操作部と上下方向で重ならない位置に配設されていると好ましい。
上記構成によれば、充電ジャックが、操作部と上下方向で重ならない位置に配設されていることで、着座者が操作部の上下方向から手を操作部に伸ばして操作部を操作する際に、充電ジャックに接続される充電ケーブルが操作の邪魔になることを回避できる。
【００１０】
さらには、前記充電ジャックは、前記操作部のある側に対して前記椅子の幅方向逆側に配設されていると好ましい。
上記構成によれば、充電ジャックが、操作部のある側に対して椅子の幅方向逆側に配設されていることで、着座者が椅子の幅方向の操作部側から手を伸ばして操作部を操作する際に、充電ジャックに接続される充電ケーブルが邪魔になることを回避できる。
【００１１】
また、前記充電ジャックは、前記椅子の前後方向後ろ側に配設されていると好ましい。
上記構成によれば、椅子の前側に着座者の脚が位置することになるため、椅子の後ろ側に設けられた充電ジャックに接続される充電ケーブルが着座者の脚に引っ掛かることを防ぐことができる。
【００１２】
また、座部と、該座部を下方から支持する支柱と、該支柱に取り付けられた脚部と、前記充電ジャックに一端を接続され、他端に充電ケーブルを接続する充電コネクタを有する延長ケーブルと、を備え、該延長ケーブルは、前記支柱に沿って前記脚部まで配設されており、前記充電コネクタは前記脚部に固定されていると好ましい。
上記構成によれば、座部から離間した位置にある脚部に固定された充電コネクタに、充電ケーブルを接続してバッテリを充電できるため、充電ケーブルが着座者の邪魔になることを防止できる。
【００１３】
さらに、前記脚部にはキャスターが取り付けられており、前記充電コネクタは、前記キャスターの上方で前記脚部の先端に固定されていると好ましい。
上記構成によれば、充電コネクタに接続される充電ケーブルがキャスターに巻き込まれることを回避できる。
【００１４】
また、前記支柱は筒状に形成されており、前記延長ケーブルは、前記支柱内を通って前記脚部まで配設されていると好ましい。
上記構成によれば、延長ケーブルの露出を防ぐことで、延長ケーブルが他部材に引っ掛かることによる充電ジャックから脱落、及び他部材に当接することによる劣化を防ぐとともに、意匠性を向上させることができる。また、バッテリの給電中に着座者が椅子を使用する際に、延長ケーブルが邪魔になることを回避できる。
【００１５】
また、前記延長ケーブルは、前記脚部の下面に沿って配設されていると好ましい。
上記構成によれば、脚部の下面に沿って延長ケーブルが配設されていることで、着座者の足が延長ケーブルにかかることを防止して、延長ケーブルが充電ジャックから外れることを防止することができ、また、バッテリの給電中に着座者が椅子を使用する際に、延長ケーブルが邪魔になることを回避できる。
【００１６】
また、前記脚部は中空部を有し前記延長ケーブルは、前記脚部の前記中空部を通って配設されていると好ましい。
上記構成によれば、脚部の中空部を通るように延長ケーブルが配設されていることで、着座者の足が延長ケーブルにかかることを防止して、延長ケーブルが充電ジャックから外れることを防止することができ、また、バッテリの給電中に着座者が椅子を使用する際に、延長ケーブルが邪魔になることを回避できる。
【発明の効果】
【００２１】
本発明によれば、充電ジャックに挿し込まれた充電ケーブルが操作部の操作の邪魔になることを回避でき、刺激装置及び制御装置に電力を供給して安定作動させることができる。
また、本発明によれば、着座者が操作部の上下方向から手を操作部に伸ばして操作部を操作する際に、充電ジャックに接続される充電ケーブルが操作の邪魔になることを回避できる。
また、本発明によれば、着座者が椅子の幅方向の操作部側から手を伸ばして操作部を操作する際に、充電ジャックに接続される充電ケーブルが邪魔になることを回避できる。
また、本発明によれば、椅子の後ろ側に設けられた充電ジャックに接続される充電ケーブルが着座者の脚に引っ掛かることを防ぐことができる。
また、本発明によれば、充電コネクタに接続された充電ケーブルが着座者の邪魔になることを防止できる。
さらに、本発明によれば、充電コネクタに接続される充電ケーブルがキャスターに巻き込まれることを回避できる。
また、本発明によれば、延長ケーブルが他部材に引っ掛かることによる充電ジャックから脱落、及び他部材に当接することによる劣化を防ぐとともに、意匠性を向上させることができ、着座者が椅子を使用する際に、延長ケーブルが邪魔になることを回避できる。
また、本発明によれば、座部又は背もたれの本体部にカバーが取り付けられている場合であっても、カバーを外さずに充電することが可能となる。
また、本発明によれば、立った状態の人が、充電ケーブルを充電コネクタに挿しやすくできる。
また、本発明によれば、充電ケーブルを充電コネクタに挿しやすく、上方から落下してくる異物の侵入を抑制しやすくできる。
また、本発明によれば、上方から落下してくる異物の侵入を回避でき、充電ケーブルにおける充電コネクタ近傍の部分が劣化して断線することを防止できる。
【図面の簡単な説明】
【００２２】
【図１】本発明の第１実施形態に係る脚付き椅子の外観図である。
【図２】保持カバー及び座部カバーが取り付けられるクッションパン下面を示す下側斜視図である。
【図３】図１のIII-III断面を示す模式的な断面図である。
【図４】脚付き椅子に取り付けられる制御装置、バッテリ及び保持カバー等の分解斜視図である。
【図５】制御装置及びバッテリを保持した状態の保持カバーを示す斜視図である。
【図６】制御装置及びバッテリを保持する保持カバーがクッションパンの下面に取り付けられた状態を示す模式的な正面図である。
【図７】クッションパンの樹脂プレートの下面に座部カバーを取り付けた状態を示す模式的な正面図である。
【図８】第２実施形態に係る脚付き椅子の外観図である。
【図９】図８のIX-IX断面を示す模式的な断面図である。
【図１０】第３実施形態に係る脚付き椅子の外観図である。
【図１１】バックパンの樹脂プレートの後面に保持カバーを取り付けた状態を示す模式的な平面図である。
【発明を実施するための形態】
【００２３】
本発明は、椅子に関するものであり、特に、覚醒機器（居眠り防止機器）を備える椅子に関するものである。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００２４】
＜＜第１実施形態＞＞
以下、本発明の第１実施形態に係る脚付き椅子Ｓ、並びに脚付き椅子Ｓに設けられたＥＣＵ７、バッテリ８及びこれらを保持する保持カバー７１並びにこれらを覆う座部カバー５７について、図面を参照しながら説明する。
なお、以下において、前後方向は、椅子の前後方向を示すものとし、左右方向は椅子の左右方向を示すものとし椅子の幅方向ともいう。
【００２５】
＜全体構成について＞
まず、図１〜図３を主に参照して、第１実施形態に係る脚付き椅子Ｓの主な構成について説明する。ここで、図１は、本発明の第１実施形態に係る脚付き椅子Ｓの外観図、図２は、保持カバー７１及び座部カバー５７が取り付けられるクッションパンＦ２１の下面を示す下側斜視図、図３は、図１のIII-III断面を示す模式的な断面図である。
【００２６】
脚付き椅子Ｓは、主に、脚部材Ｆ３と、脚部材Ｆ３に取り付けられて着座者の臀部を支持するクッションパンＦ２１と、クッションパンＦ２１に連結された背もたれ部であるバックパンＦ２２と、覚醒機器Ｕとから構成されている。
【００２７】
脚部材Ｆ３は、４本に分岐する足部Ｆ３１と、足部Ｆ３１に連続的に形成された支柱筒Ｆ３０とから構成されて、主に樹脂材料から形成されている。
足部Ｆ３１における４本に分岐したそれぞれの先端には、キャスターＦ３１ａが取り付けられている。
また、足部Ｆ３１は、本実施形態においては４本に分岐する構成となっているが、３本以上に分岐する構成であってもよく、さらに、キャスターＦ３１ａを備えなくてもよい。
【００２８】
支柱筒Ｆ３０は、足部Ｆ３１の中央に固定されて上方に延在している。支柱筒Ｆ３０の中に、後述する支柱Ｆ２１ａが通されて固定される。
【００２９】
クッションパンＦ２１は、本発明に係る座部に相当するものであり、図２に示すように、金属製の座部フレーム７４と、座部フレーム７４の上部に取り付けられた樹脂プレートＦ２１ｄと、樹脂プレートＦ２１ｄの上部に取り付けられた表皮付きパッド部Ｆ２１ｅと、から構成されている。
【００３０】
座部フレーム７４は、シート幅方向に延在する下側フレーム部Ｆ２１ｂと、下側フレーム部Ｆ２１ｂよりも上側にあり、下側フレーム部Ｆ２１ｂと十字に成すように交差して延在する上側フレーム部Ｆ２１ｃと、から構成されている。
【００３１】
下側フレーム部Ｆ２１ｂは、クッションパンＦ２１の後ろ側においてシート幅方向に延在しており、支柱Ｆ２１ａが通る下側フレーム部Ｆ２１ｂの中央には、貫通孔Ｆ２１ｆが形成されている。
【００３２】
上側フレーム部Ｆ２１ｃは、椅子の幅方向中央において椅子の前後方向に延在して、下側フレーム部Ｆ２１ｂと溶接によって接合されている。上側フレーム部Ｆ２１ｃの中央には、周囲に対して垂直に延在するパイプ状の支柱Ｆ２１ａが溶接等によって接合されている。
上側フレーム部Ｆ２１ｃにおける下側フレーム部Ｆ２１ｂに重ならない部位に、タッピングネジＮ１（図４参照）を通す通し孔Ｆ２１ｈが、前後に２つずつ形成されている。
具体的には、この通し孔Ｆ２１ｈは、上側フレーム部Ｆ２１ｃ及び一体的に接合された下側フレーム部Ｆ２１ｂ、及び後述する保持カバー７１を樹脂プレートＦ２１ｄへ取り付けるタッピングネジＮ１を通すためのものである。
【００３３】
樹脂プレートＦ２１ｄは、本発明に係る本体部に相当し、着座者の臀部から伝わる熱を放熱するために、図３に示すように上下方向に形成された複数の抜き孔Ｆ２１ｊを有する。この抜き孔Ｆ２１ｊは、放熱機能を有するとともに、後述するハーネス１１を樹脂プレートＦ２１ｄの上下に挿通させる機能を有する。
【００３４】
表皮付きパッド部Ｆ２１ｅは、ウレタン等のクッション材から成るパッド部Ｆ２１ｏと、パッド部Ｆ２１ｏを覆う表皮４４とから構成されており、表皮４４とパッド部Ｆ２１ｏの間に後述する呼吸センサ９が配設されている。
パッド部Ｆ２１ｏには、図３に示すように、ハーネス１１を後述するＥＣＵ７にガイドするガイド孔Ｆ２１ｋが形成されている。
ガイド孔Ｆ２１ｋは、パッド部Ｆ２１ｏの上面に設けられた呼吸センサ９の前方から、ＥＣＵ７の近傍へと、前方、且つ、下方に斜め延びるように形成されている。
【００３５】
バックパンＦ２２は、クッションパンＦ２１の後部と連結されており、クッションパンＦ２１から略鉛直上方に延在して形成されている。
バックパンＦ２２は、クッションパンＦ２１と同様の構成からなり、樹脂プレートＦ２２ｄと、樹脂プレートＦ２２ｄの前側に取り付けられた表皮付きパッド部Ｆ２２ｅとから構成されている。
【００３６】
樹脂プレートＦ２２ｄは、本発明に係る本体部に相当し、樹脂プレートＦ２２ｄの裏面の中央には、図１に示す振動装置３５が取り付けられている。この振動装置３５は、詳細については後述するが、覚醒機器Ｕを構成部品であり、ＥＣＵ７の制御信号に応じて着座者に振動刺激を付加するものである。
【００３７】
表皮付きパッド部Ｆ２２ｅは、表皮付きパッド部Ｆ２１ｅと同様、ウレタン等のクッション材から成る図示せぬパッド部と、パッド部を覆う図示せぬ表皮とから構成されている。
【００３８】
＜覚醒機器について＞
次いで、覚醒機器Ｕについて説明する。
本実施形態に係る覚醒機器Ｕは、ＥＣＵ７、バッテリ８、呼吸センサ９及び振動装置３５から主に構成されている。
【００３９】
振動装置３５は、公知のアンバランスマスモータから成る所謂「振動モータ」を備える装置である。
【００４０】
ＥＣＵ７は、電気制御を総合的に実行する中枢機能であり、本例においては、呼吸の間隔を示すデジタル信号に変換された電位差信号を基に、振動装置３５を駆動制御する機能を有する。
本実施形態に係るＥＣＵ７は、演算制御用のＣＰＵ、ＲＯＭ、ＲＡＭ等を備えて構成された、ハード的には汎用のＥＣＵである。
ＥＣＵ７には、図３に示す呼吸センサ９に接続されたハーネス１１、及び振動装置３５に接続された図示せぬハーネス、並びにバッテリ８に接続された図示せぬケーブルが接続されている。
【００４１】
なお、呼吸センサ９からハーネス１１を介してＥＣＵ７に入力される信号は、信号処理回路によってデジタル信号に変換された電位差信号であり、出力されるものは、振動装置３５を駆動するための電力である。
ＲＡＭは、演算制御中の信号及び入出力される信号を含むパラメータを一時記憶するもので、デジタル信号に変換された電位差信号その他の信号を格納する格納部として機能する。
【００４２】
ＲＯＭは、ＣＰＵが実行するプログラム及び所定値のパラメータを記憶するものであり、例えば、所定の基準値を設定する基準値設定部や、基準値に基づき覚醒状態を判定する判定部、振動装置３５を駆動する駆動部等がプログラムとして記録されている。
この駆動部は、ＣＰＵの指示に応じて電力を供給することにより振動装置３５を駆動する機能を有する。
このＣＰＵの指示信号は、呼吸センサ９からの信号を演算することにより形成される。
つまり、呼吸センサ９から送信される信号により、着座者の覚醒状態を判断し、覚醒状態ではないと判断した場合に、振動装置３５を駆動するための信号がＣＰＵから発信されるよう構成されている。なお、当該構成は公知の構成が使用されていればよく、呼吸センサ９の代わりに心拍センサを用いるようにしてもよい。
【００４３】
覚醒機器Ｕを構成するＥＣＵ７は、図３に示すように、保持カバー７１によってクッションパンＦ２１の下面側に取り付けられており、振動装置３５は、図１に示すように、バックパンＦ２２の着座者側を向く面の中央部付近に取り付けられている。
【００４４】
バッテリ８は、充電式のバッテリから成り、ＥＣＵ７及び振動装置３５に電力を供給する機能を有し、本実施形態においては板状に形成されている。バッテリ８は、後述する制御装置Ｕ１の下方に重ねて取り付けられており、前面に充電ジャック８０ａが形成されている。バッテリ８は、充電ジャック８０ａから充電ケーブル６７（図７参照）が接続されることによって家庭用電源から充電されるものである。そして、バッテリ８は、スマートフォン等の充電用に使用されるバッテリを転用することが可能である。
【００４５】
＜ＥＣＵ及びバッテリを保持する保持カバーについて＞
次いで、図１〜図３に加え、図４〜図６を参照して、ＥＣＵ７及びバッテリ８を保持する保持カバー７１について説明する。
ここで、図４は、脚付き椅子Ｓに取り付けられる制御装置Ｕ１、バッテリ８及び保持カバー７１等の分解斜視図、図５は、制御装置Ｕ１及びバッテリ８を保持した状態の保持カバー７１を示す斜視図、図６は、制御装置Ｕ１及びバッテリ８を保持する保持カバー７１がクッションパンＦ２１の下面に取り付けられた状態を示す模式的な正面図、図７は、クッションパンＦ２１の樹脂プレートＦ２１ｄの下面に座部カバー５７を取り付けた状態を示す模式的な正面図である。
【００４６】
本実施形態においては、ＥＣＵ７は、ベース部材７２及びカバー部材７３によって覆われて支持され、さらにバッテリ８とともに、保持カバー７１によって保持されて上側フレーム部Ｆ２１ｃに取り付けられる。なお、ＥＣＵ７とベース部材７２とカバー部材７３とを組み合わせたユニットを制御装置Ｕ１ともいう。
【００４７】
図５に示すように、ベース部材７２とカバー部材７３とは、ＥＣＵ７を格納した状態で固定ネジＮ２によって締結され、バッテリ８の上に積層されて、収容凹溝７１ａ内に保持される。
保持カバー７１は、本発明に係るカバーの一に相当するものであり、上方が開放されており鉛直断面が略コ字形状である収容凹溝７１ａを備え、樹脂材料で形成されている。保持カバー７１は、収容凹溝７１ａ内にバッテリ８と制御装置Ｕ１を保持する。
【００４８】
また、保持カバー７１は、開口７１ｉを前側に有しており、開口７１ｉによって、収容凹溝７１ａ内に保持されたバッテリ８が露出するように形成されている。
このように保持カバー７１に開口７１ｉが形成されていることで、保持カバー７１によってＥＣＵ７及びバッテリ８を保持した状態で、各装置の電気的接続が可能となる。
そして、保持カバー７１は、開口７１ｉが前方に向くように、上側フレーム部Ｆ２１ｃに取り付けられていることで、着座者は、ハーネス１１、充電ケーブル６７等の抜き挿しを、保持カバー７１の後方にある支柱筒Ｆ３０が邪魔になることなく、脚付き椅子Ｓに座った状態で行うことができる。
【００４９】
開口７１ｉは、バッテリ８の充電ジャック８０ａを露出させることにより、充電ジャック８０ａに挿し込まれる充電ケーブル６７の通し口として機能することとなる。
【００５０】
なお、開口７１ｉを充電ケーブル６７の通し口として機能させるため、充電ケーブル６７を通す際の障害となる支柱Ｆ２１ａに開口７１ｉが対向しない向きで、保持カバー７１が取り付けられていればよい。つまり、開口７１ｉが支柱Ｆ２１ａに対向する向きでなければ、前方だけでなく、側方や後方に開口７１ｉが向くように、保持カバー７１が取り付けられてもよい。
【００５１】
また、保持カバー７１における椅子の幅方向両側の内壁には、下部が椅子の幅方向に長く形成されたＬ字状のリブ７１ｄが椅子の前後方向に複数並んで形成されている。このリブ７１ｄ上に、後述するベース部材７２が載置される。椅子の幅方向にある一対のリブ７１ｄの下部は、椅子の幅方向において、バッテリ８が間に収まるようにバッテリ８の長さよりも長い間隔で形成されており、バッテリ８の上下方向の厚さよりも高い高さで形成されている。
さらに、保持カバー７１の椅子の前後方向における最前にあるリブ７１ｅは、他のリブ７１ｄよりも上部が椅子の幅方向に張り出して形成されている。より具体的には、椅子の幅方向両側にある一対のリブ７１ｅ間の長さは、後述するカバー部材７３における椅子の幅方向の長さよりも短く設定されている。
このため、ＥＣＵ７を覆って保持カバー７１に保持されたカバー部材７３は、リブ７１ｅによって前方への移動を制限されることとなる。
【００５２】
ベース部材７２及びカバー部材７３は、鉛直断面が略コ字形状の枠体である。
詳細には、ベース部材７２は、略コ字形状の断面を有して、幅方向長さよりも長く前後方向に延在している。
一方、カバー部材７３は、略コ字形状の断面を有して、前後方向長さよりも長く幅方向に延在している。
これらは、上下に重ね合わせられることで、内部にＥＣＵ７の格納空間を形成する。
そして、ベース部材７２とカバー部材７３とは、ＥＣＵ７を格納した状態で固定ネジＮ２によって締結され、バッテリ８の上に積層されて、収容凹溝７１ａ内に保持される。
【００５３】
制御装置Ｕ１は、バッテリ８とともに保持カバー７１の収容凹溝７１ａ内に格納されている。この状態で、保持カバー７１は、タッピングネジＮ１により、クッションパンＦ２１に留め付けられる。
【００５４】
＜バッテリの給電について＞
上記のように、バッテリ８の給電は、充電ジャック８０ａに充電ケーブル６７が挿し込まれることによってなされる。そして、給電しながら脚付き椅子Ｓを使用する際には、充電ケーブル６７が邪魔になることが考えられる。
特に、操作レバー１０を備える脚付き椅子Ｓにおいては、充電ケーブル６７が操作レバー１０の操作の邪魔になることがある。
このため、図６に示すように、バッテリ８の充電ジャック８０ａは、操作レバー１０の可動範囲を避けた位置に設けられている。
このように構成されていることで、操作レバー１０を操作する際に、充電ジャック８０ａに接続された充電ケーブル６７が操作の邪魔になることを抑制することができる。
【００５５】
特に、充電ジャック８０ａは、操作レバー１０の可動範囲の上方及び下方を避けた位置に設けられていると好ましい。
このように構成されていれば、操作レバー１０を稼働させる着座者の手が、充電ジャック８０ａに接続された充電ケーブル６７に触れて、操作の邪魔になることをより抑制することができる。
【００５６】
さらに、充電ジャック８０ａは、クッションパンＦ２１における椅子の幅方向の一側に取り付けられている操作レバー１０に対して、その逆側に配置されている。
このように構成されていることで、クッションパンＦ２１に着座した着座者が、椅子の幅方向一側から手を伸ばして操作レバー１０を操作する際に、充電ジャック８０ａに接続された充電ケーブル６７が邪魔になることを抑制することができる。
【００５７】
さらに、クッションパンＦ２１の後ろ側に充電ジャック８０ａが向くように、保持カバー７１を取り付けるようにしてもよい。
このような構成によれば、クッションパンＦ２１の前側にある着座者の脚の置き場に、充電ケーブル６７が配設することを避けて、脚に充電ケーブル６７が引っ掛かる等、邪魔になることを避けることができる。
【００５８】
＜＜第２実施形態＞＞
次に第２実施形態に係る脚付き椅子Ｓ２について、図８及び図９を参照して説明する。
ここで、図８は、第２実施形態に係る脚付き椅子Ｓ２の外観図、図９は、図８のIX-IX断面を示す模式的な断面図である。
脚付き椅子Ｓ２は、足部Ｆ３１の先端に充電コネクタ６５を備え、充電コネクタ６５に充電ケーブル６７を挿し込むことによってバッテリ８を給電可能とする構成から成る。
【００５９】
脚付き椅子Ｓ２の詳細な構成について説明する。
脚付き椅子Ｓ２の座部カバー５８は、樹脂プレートＦ２１ｄの下面における支柱Ｆ２１ａの前側のみを覆うように形成され、取り付けられている。
座部カバー５８の後面における支柱Ｆ２１ａに対向する位置に、バッテリ８の充電ジャック８０ａを露出させる通し口５８ａが形成されている。
そして、バッテリ８は、充電ジャック８０ａが支柱Ｆ２１ａに対向する後方に向くように保持カバー７１に保持されており、保持カバー７１には、後方に、充電ジャック８０ａを露出させる通し口７５ａが形成されている。
なお、座部カバー５８には開孔５７ｃが形成されていない。このため、座部カバー５８内にあるＥＣＵ７やバッテリ８に塵埃が侵入することを抑制することが可能である。
【００６０】
また、支柱Ｆ２１ａにおける座部カバー５８に対向する前側には、外部と内部空間とに連通する貫通孔Ｆ２１ｎが形成されている。
つまり、座部カバー５８が保持カバー７１を覆っている状態において、通し口５８ａと通し口７５ａと貫通孔Ｆ２１ｎが対向しており、これらを通って延長ケーブル６６が支柱Ｆ２１ａの内部に通されている。
このように延長ケーブル６６が支柱Ｆ２１ａの内部空間を通るように配設されているため、延長ケーブル６６が脚付き椅子Ｓ２の周りの部材に引っ掛かることがなく、外力が加わらないことで劣化を防ぐことができるとともに、デザイン性が向上する。
また、延長ケーブル６６が着座者に触れることがないため、着座者は快適に脚付き椅子Ｓ２を使用することができる。
【００６１】
図８に示すように、脚部材Ｆ３におけるキャスターＦ３１ａの上方にある足部Ｆ３１の先端に充電コネクタ６５が配設されている。
延長ケーブル６６は、充電ジャック８０ａに一端を接続されて、他端を充電コネクタ６５に接続されており、足部Ｆ３１の下面に沿って配設されている。
このような構成により、延長ケーブル６６が足部Ｆ３１の下面に沿って配設されているため、着座者の脚に延長ケーブル６６がかかることを回避でき、充電ジャック８０ａから延長ケーブル６６が抜けることを回避できる。
なお、足部Ｆ３１が中空部を有するならば、その中空部に延長ケーブル６６を通すようにしても同様の効果を得ることができる。
また、床に近い足部Ｆ３１先にある充電コネクタ６５の接続口６５ａに充電ケーブル６７を挿し込むようにして、バッテリ８への充電が可能となる。このため、充電ケーブル６７が上下斜めに空間上に配設されず、床を這うように配設されるため、脚付き椅子Ｓの周辺を通る者の邪魔にならずに使いやすいものとなる。
また、キャスターＦ３１ａの上方に充電コネクタ６５が形成されているため、充電コネクタ６５に接続された充電ケーブル６７がキャスターＦ３１ａに巻き込まれることを抑制することができる。
さらに、着座者は、クッションパンＦ２１の下面近傍よりも足部Ｆ３１の先端の方が容易に目視でき、図示せぬ充電ケーブルを充電コネクタ６５に容易に接続することができる。
【００６２】
また、座部カバー５８は任意の構成要素であり、保持カバー７１が露出して取り付けられるものであってもよい。
【００６３】
＜＜第３実施形態＞＞
次に第３実施形態に係る脚付き椅子Ｓ３について、図１０を参照して説明する。
ここで、図１０は、第２実施形態に係る脚付き椅子Ｓ３の外観図である。
第３実施形態に係る脚付き椅子Ｓ３は、バックパンＦ２２の樹脂プレートＦ２２ｄの裏面に取り付けられた背もたれカバー５５の上部に、接続口６５ａが上向きとなるように取り付けられた充電コネクタ６５を備える。
そして、延長ケーブル６１は、クッションパンＦ２１及びバックパンＦ２２の内部を通って、バッテリ８と充電コネクタ６５とに接続されている。
【００６４】
このような構成によれば、背もたれカバー５５に充電コネクタ６５が取り付けられていることで、背もたれカバー５５を外さずに充電ケーブル６７を充電コネクタ６５に挿し込むことでバッテリ８を充電することが可能となる。
【００６５】
特に、背もたれカバー５５の上部に充電コネクタ６５が取り付けられていることで、立った状態の人が屈むことなく、充電ケーブル６７を接続口６５ａに容易に挿し込むことができる。
【００６６】
なお、充電コネクタ６５を取り付ける場所は背もたれカバー５５の上部に限られず、背もたれカバー５５の側面又は下面に取り付けるようにしてもよい。
背もたれカバー５５の側面又は下面に、接続口６５ａが側方又は下方に向くように、充電コネクタ６５を取り付けるようにすることで、上方から落下してくる異物が接続口６５ａ内に入ることを回避することができる。
【００６７】
特に、接続口６５ａが下方に向くように充電コネクタ６５が取り付けられていると、一般的に低い高さに設けられる家庭用コンセントに接続される充電ケーブル６７が、接続口６５ａ近傍で大きく屈曲することを回避することができる。
このため、充電ケーブル６７の劣化を抑制し、断線が生じることを回避しやすくできる。
さらには、充電コネクタ６５を取り付けるのは背もたれカバー５５に限られず、座部カバー５７，５８に取り付けるようにしてもよい。
【符号の説明】
【００６８】
Ｆ２１  クッションパン（座部）
Ｆ２１ａ  支柱
Ｆ２１ｂ  下側フレーム部
Ｆ２１ｃ  上側フレーム部
Ｆ２１ｄ  樹脂プレート（本体部）
Ｆ２１ｅ  表皮付きパッド部
Ｆ２１ｆ  貫通孔
Ｆ２１ｈ  通し孔
Ｆ２１ｊ  抜き孔
Ｆ２１ｋ  ガイド孔
Ｆ２１ｎ  貫通孔
Ｆ２１ｏ  パッド部
Ｆ２２  バックパン（背もたれ）
Ｆ２２ｄ  樹脂プレート（本体部）
Ｆ２２ｅ  表皮付きパッド部
Ｆ３  脚部材
Ｆ３０  支柱筒
Ｆ３１  足部
Ｆ３１ａ  キャスター
Ｎ１  タッピングネジ
Ｎ２  固定ネジ
Ｓ，Ｓ２，Ｓ３  脚付き椅子
Ｕ  覚醒機器
Ｕ１  制御装置
１０  操作レバー（操作部）
１１  ハーネス
３５  振動装置（刺激装置）
４４  表皮
５５  背もたれカバー
５７，５８  座部カバー（カバー）
５７ｃ  開孔
５８ａ  通し口
６１  延長ケーブル
６５  充電コネクタ
６５ａ  接続口
６６  延長ケーブル
６７  充電ケーブル
７  ＥＣＵ
７１  保持カバー（カバー）
７１ａ  収容凹溝（凹部）
７１ｄ，７１ｅ  リブ
７１ｉ  開口
７２  ベース部材
７３  カバー部材
７４  座部フレーム
７５ａ  通し口（開孔）
８  バッテリ
８０ａ  充電ジャック
９  呼吸センサ（センサ）
【図１】
0006600966.tif 000002
【図２】
0006600966.tif 000003
【図３】
0006600966.tif 000004
【図４】
0006600966.tif 000005
【図５】
0006600966.tif 000006
【図６】
0006600966.tif 000007
【図７】
0006600966.tif 000008
【図８】
0006600966.tif 000009
【図９】
0006600966.tif 000010
【図１０】
0006600966.tif 000011
【図１１】
0006600966.tif 000012